(57)【要約】      （修正有）【課題】携帯電話に取り付けても邪魔にならず使いやすく、かつ、指に固定して確実に保持することができて携帯電話の落下を防止できる携帯機器用ストラップを提供する。【解決手段】携帯機器１１に接続しうる紐状部材２に、指を挿入して保持しうる指係止部材３が取り付けられる。上記指係止部材は柔軟性を有するテープ状部材４で形成され、そのテープ状部材は長さ方向の両端にそれぞれ孔５、６が穿設され、当該テープ状部材と上記紐状部材により指１３を挿入しうる輪７が形成されるように略Ｕ字状に曲げられた上記テープ状部材の両端の孔に上記紐状部材が貫通される。【選択図】図２
0003103410.tif 000002
【実用新案登録請求の範囲】
【請求項１】
携帯機器に接続しうる紐状部材に、指を挿入して保持しうる指係止部材が取り付けられたことを特徴とする携帯機器用ストラップ。
【請求項２】
上記指係止部材は柔軟性を有するテープ状部材で形成され、そのテープ状部材は長さ方向の両端にそれぞれ孔が穿設され、当該テープ状部材と上記紐状部材により指を挿入しうる輪が形成されるように略Ｕ字状に曲げられた上記テープ状部材の両端の孔に上記紐状部材が貫通されたことを特徴とする請求項１記載の携帯機器用ストラップ。
【請求項３】
上記テープ状部材の一端に設けられる孔は、長さ方向の複数箇所に形成されていることを特徴とする請求項２記載の携帯機器用ストラップ。
【請求項４】
上記テープ状部材は、上記紐状部材における携帯機器に接続する側に位置する一端が上記紐状部材に対しその長さ方向へ移動しうるように取り付けられると共に、反対側の端部は上記紐状部材に固定されうるように取り付けられたことを特徴とする請求項２又は３記載の携帯機器用ストラップ。
【請求項５】
上記紐状部材は、その長さ方向へ移動しうるように当該紐状部材を貫通させる孔部を有し、当該紐状部材に対し摩擦力で適宜な位置に停止しうるように形成された玉状の押え止め部材が取り付けられ、上記テープ状部材の一端は、当該押え止め部材と、上記紐状部材の中間部に配設された紐連結部材とにより挟み止めされて固定されるように構成されたことを特徴とする請求項４記載の携帯機器用ストラップ。
【考案の詳細な説明】
【技術分野】
【０００１】
本考案は、携帯電話やデジタルカメラ等の携帯機器に取り付けられるストラップに関する。
【背景技術】
【０００２】
従来の携帯電話用ストラップは手首に掛けて吊り下げられる程度の長さを有していた。
【０００３】
しかしながら、最近の携帯電話は携帯の便を向上させるためにコンパクトサイズに形成されていて、従来のストラップは長過ぎて邪魔になり、使いにくいという不具合がある。
【０００４】
また、従来のストラップを掌で握って吊り下げた場合に、ストラップが滑って掌から抜け落ちやすく、携帯電話が損傷するという不具合もある。
【０００５】
なお、本出願人は上記の不具合を解消できる携帯機器用ストラップを調査したが、関連する先行技術文献を発見できなかった。
【考案の開示】
【考案が解決しようとする課題】
【０００６】
そこで本考案は、コンパクトサイズに形成された携帯機器に取り付けても邪魔にならず使いやすく、かつ、手に固定して保持することができて、滑って落下するようなことがなく、携帯機器の落下による故障を確実に防止できる携帯機器用ストラップの提供を課題とする。
【課題を解決するための手段】
【０００７】
上記課題を解決するために、請求項１記載の本考案に係る携帯機器用ストラップは、携帯機器に接続しうる紐状部材に、指を挿入して保持しうる指係止部材が取り付けられていることを特徴とするものである。
【０００８】
即ち、本考案に係る携帯機器用ストラップは、従来品のように手首に掛けて吊り下げるものではなく、上記指係止部材に指を挿入することにより保持するものである。
【０００９】
また、請求項２記載の本考案に係る携帯機器用ストラップは、上記指係止部材は柔軟性を有するテープ状部材で形成され、そのテープ状部材は長さ方向の両端にそれぞれ孔が穿設され、当該テープ状部材と上記紐状部材により指を挿入しうる輪が形成されるように略Ｕ字状に曲げられた上記テープ状部材の両端の孔に上記紐状部材が貫通されたことを特徴とする。
【００１０】
即ち、本考案に係る携帯機器用ストラップは、上記テープ状部材を略Ｕ字状に曲げて、その長さ方向の両端にそれぞれ穿設された孔に上記紐状部材を貫通させることにより輪を形成し、その輪の中に指を挿入することにより保持可能としたものである。
【００１１】
また、請求項３記載の本考案に係る携帯機器用ストラップは、上記テープ状部材の一端に設けられる孔は、長さ方向の複数箇所に形成されていることを特徴とする。
【００１２】
即ち、本考案に係る携帯機器用ストラップは、上記テープ状部材の一端に設けられた複数の孔の中から、任意の１つを選んで、その孔に上記紐状部材を貫通させることができる。
【００１３】
また、請求項４記載の本考案に係る携帯機器用ストラップは、上記テープ状部材は、上記紐状部材における携帯機器に接続する側に位置する一端が上記紐状部材に対しその長さ方向へ移動しうるように取り付けられると共に、反対側の端部は上記紐状部材に固定されうるように取り付けられたことを特徴とする。
【００１４】
即ち、本考案に係る携帯機器用ストラップは、上記紐状部材に対し移動しうる上記テープ状部材の一端を、上記紐状部材に対し固定された上記テープ状部材の他端方向へ接近させることにより、上記輪を縮小させることができると共に、反対側方向へ移動させることにより上記輪を拡大することができる。
【００１５】
また、請求項５記載の本考案に係る携帯機器用ストラップは、上記紐状部材には、その長さ方向へ移動しうるように当該紐状部材を貫通させる孔部を有し、当該紐状部材に対し摩擦力で適宜な位置に停止しうるように形成された玉状の押え止め部材が取り付けられ、上記テープ状部材の一端は、当該押え止め部材と、上記紐状部材の中間部に配設された紐連結部材とにより挟み止めされて固定されるように構成されたことを特徴とする。
【００１６】
即ち、本考案に係る携帯機器用ストラップは、上記紐状部材の中間部に不動状態に配設された上記紐連結部材と、上記紐状部材に対し摩擦力で適宜な位置に停止しうる押え止め部材とにより挟み止めされることにより、上記テープ状部材の一端が固定されるものである。
【考案の効果】
【００１７】
請求項１記載の本考案に係る携帯機器用ストラップは、上記指係止部材に指を挿入して保持できることから、従来のストラップのように手首に掛けて保持する必要がないので、全体を短縮化することができる。したがって、コンパクトサイズに形成された携帯機器に取り付けても邪魔にならず、使い勝手が良い。
【００１８】
請求項２記載の本考案に係る携帯機器用ストラップは、上記指係止部材が柔軟性を有するテープ状部材で形成され、そのテープ状部材は長さ方向の両端にそれぞれ孔が穿設されて形成されることから、上記指係止部材の構造がシンプルで製造が容易であり、製造コストを低く抑えることができので安価で消費者に提供することができる。
また、上記テープ状部材と上記紐状部材により指を挿入しうる輪が形成されるように略Ｕ字状に曲げられた上記テープ状部材の両端の孔に上記紐状部材が貫通されたことから、上記テープ状部材を曲げたり伸ばして上記輪を開いたり閉じることができる。したがって、指を挿入する場合に上記輪を広く開くことにより指の挿入を容易化することができる。
【００１９】
また、請求項３記載の本考案に係る携帯機器用ストラップは、上記テープ状部材の一端に設けられる孔が、長さ方向の複数箇所に形成されていることから、上記紐状部材を通す孔の位置を変えて上記輪のサイズを大小変化させることができる。したがって、使用者の指の太さに合わせて最適なサイズの輪を形成することができ、指の太さの如何に拘わらずフィットさせることができる。
【００２０】
また、請求項４記載の本考案に係る携帯機器用ストラップにあっては、上記テープ状部材は、上記紐状部材における携帯機器に接続する側に位置する一端が上記紐状部材に対しその長さ方向へ移動しうるように取り付けられると共に、反対側の端部は上記紐状部材に固定されうるように取り付けられたことから、上記紐状部材に携帯機器を接続して、上記輪の中に指を挿入して吊り下げた場合に、上記携帯機器の重さで、上記輪が閉じるように上記テープ状部材の一端が移動して、上記輪が自動的に閉じて指を締め付けることになるので、上記輪を閉じるために特別な操作を行う必要がなく、操作が楽で使い勝手が良好である。
【００２１】
また、請求項５記載の本考案に係る携帯機器用ストラップにあっては、上記紐状部材には、その長さ方向へ移動しうるように当該紐状部材を貫通させる孔部を有し、当該紐状部材に対し摩擦力で適宜な位置に停止しうるように形成された玉状の押え止め部材が取り付けられ、上記テープ状部材の一端は、当該押え止め部材と、上記紐状部材の中間部に配設された紐連結部材とにより挟み止めされて固定されることから、上記テープ状部材の一端を固定する機構がシンプルであり、製造コストを低く抑えることができる。
【考案を実施するための最良の形態】
【００２２】
以下、図面を用いて本考案の実施の形態について説明する。
本実施形態に係る携帯機器用ストラップ１は、図１に示すように、携帯機器に接続しうる紐状部材２に、指を挿入して保持しうる指係止部材３が取り付けられて構成されている。
また、図１に示すように、上記指係止部材３は柔軟性を有するテープ状部材４で形成され、そのテープ状部材４は長さ方向の両端にそれぞれ孔５，６が穿設され、当該テープ状部材４と上記紐状部材３により、図２に示すように、指１３を挿入しうる輪７が形成されるように略Ｕ字状に曲げられた上記テープ状部材４の両端の孔５，６に上記紐状部材３が貫通されている。
また、上記テープ状部材４の一端に設けられる孔６は、図１に示すように、長さ方向の複数箇所に形成されている。
また、上記テープ状部材４は、図１及び図２に示すように、上記紐状部材２における携帯機器に接続する側に位置する一端が上記紐状部材２に対しその長さ方向へ移動しうるように取り付けられると共に、反対側の端部は上記紐状部材２に固定されうるように取り付けられている。
また、上記紐状部材２には、図１及び図２に示すように、その長さ方向へ移動しうるように当該紐状部材２を貫通させる孔部８を有し、当該紐状部材２に対し摩擦力で適宜な位置に停止しうるように形成された玉状の押え止め部材９が取り付けられ、上記テープ状部材３の一端は、当該押え止め部材９と、上記紐状部材２の中間部に配設された紐連結部材１０とにより挟み止めされて固定されるように構成されている。
【実施例１】
【００２３】
図示した本実施例に係る携帯機器用ストラップ１は、図１に示すように、携帯機器に接続しうる紐状部材２を有している。
なお、本実施例の携帯機器用ストラップ１は、種々の携帯機器の中でも、図２に示すように、主に携帯電話１１に使用されるように形成されている。もちろん、その他の携帯機器、例えばデジタルカメラ等に使用することも可能である。
【００２４】
上記紐状部材２には、図１に示すように、その中間部に、プラスチックで成形された長玉状の紐連結部材１０が不動状態に配設されている。即ち、上記紐連結部材１０の両側にそれぞれ紐状部材２が突出している。
【００２５】
図１に示すように、上記紐状部材２は輪状に形成され、上記紐連結部材１０の一端から突出する一方の紐状部材２には、その先端にプラスチックで成形されたはクリップ１２が取り付けられている。したがって、携帯電話１１を衣服のポケットなどに収納した場合に、上記クリップ１２でポケットの縁部などを銜止めすることによりポケットからの携帯電話の落下を防ぐことができる。
【００２６】
なお、上記紐状部材２には、その先端に、上記クリップ１２の代わりにキャラクタ人形等のアクセサリを取り付けることも可能である。
【００２７】
上記紐連結部材１０の他端から突出する他方の紐状部材２は、図２に示すように、携帯電話１１に接続するように形成されている。
【００２８】
上記のように携帯電話１１に接続する側の紐状部材２には、図２に示すように、指１３を挿入して保持しうる指係止部材３が取り付けられている。
【００２９】
上記指係止部材３は、図１に示すように、柔軟性を有するテープ状部材４で形成されている。そのテープ状部材４は、塩化ビニル等の柔軟性及び弾力性をを有するプラスチックシートにより形成されている。
なお、テープ状部材４の素材としては、皮革や布等を用いることも可能である。
【００３０】
図１に示すように、上記テープ状部材４は長さ方向の両端にそれぞれ孔５，６が穿設されている。
そして、上記テープ状部材４と上記紐状部材３とにより、図１に示すように、指を挿入しうる輪７が形成されるように、上記テープ状部材４は略Ｕ字状に曲げられて、その両端の孔５，６に上記紐状部材２が貫通されている。
【００３１】
また、上記テープ状部材４の一端に設けられる孔６は、図１に示すように、長さ方向の複数箇所に形成されている。
なお、図では３箇所に孔６が設けられているが、その数は自由である。
【００３２】
上記のようにテープ状部材４の一端に複数の孔６が設けられたことにより、上記輪７のサイズを大小変化させることができる。
即ち、複数の孔６のうち内方位置の孔を使用することにより上記輪７のサイズを縮小し、逆に外方位置の孔を使用することにより上記輪７のサイズを拡大することができる。
【００３３】
上記のように上記テープ状部材４で形成する輪７のサイズを変化しうるようにしたので、その輪７の中に挿入する指１３の太さが異なっても対応することが可能である。
【００３４】
上記テープ状部材４は、図２に示すように、上記紐状部材２における携帯電話１１に接続する側に位置する一端が上記紐状部材２に対しその長さ方向へ移動しうるように取り付けられると共に、反対側の端部は上記紐状部材２に固定されうるように取り付けられている。
即ち、上記テープ状部材４において紐状部材２に対し可動しうる一端を、紐状部材２に対し固定された他端方向へ移動させることにより、上記輪７を縮小することができ、逆方向へ移動させれば上記輪７を拡大することができる。
【００３５】
また、上記紐状部材２には、図１に示すように、上記テープ状部材４の両端の間に、紐状部材２の長さ方向へ移動しうる押え止め部材９が取り付けられている。
【００３６】
上記押え止め部材９は、図１に示すように、プラスチックで玉状に形成され、上記紐状部材２を二重にして貫通させうる孔部８が中心部に形成されている。
【００３７】
上記押え止め部材９に形成された上記孔部８は、そこに通した上記紐状部材２との間に適宜な摩擦力が発生して、上記押え止め部材９が上記紐状部材２の適宜な位置に停止しうるように内径を設定されている。
【００３８】
図１に示すように、上記押え止め部材９を上記紐連結部材１０の方へ移動させて、上記押え止め部材９と上記紐連結部材１０とにより上記テープ状部材４の一端を挟み止めすることにより、上記テープ状部材４の一端は固定されている。
【００３９】
図２に示すように、上記紐状部材２の先端に携帯電話１１を接続し、上記輪７の中に指１３を挿入して紐状部材２から手を離すと、上記携帯電話１１の重みで、上記紐状部材２に対し可動しうる上記テープ状部材４の一端が、紐状部材２に対し固定された上記テープ状部材４の他端方向へ移動し、上記輪７を縮小させることになる。これにより、上記輪７の中に挿入された指１３は輪７で締め付けられて固定され、ストラップ１が指に確実に繋がれて保持されることになる。
【産業上の利用可能性】
【００４０】
本考案は、すべての携帯機器用ストラップに適用可能である。
【図面の簡単な説明】
【００４１】
【図１】斜視図である。
【図２】使用状態を示す斜視図である。
【符号の説明】
【００４２】
１    ストラップ
２    紐状部材
３    指係止部材
４    テープ状部材
５    孔
６    孔
７    輪
８    孔部
９    押え止め部材
１０  紐連結部材
１１  携帯電話
１２  クリップ
１３  指
【図１】
0003103410.tif 000003
【図２】
0003103410.tif 000004